(57)【要約】【課題】小型化を図ってもドグ歯に必要量の潤滑オイルを確実に供給することができる変速機構の潤滑構造を提供する。【解決手段】トランスミッションケース８の内部に、変速機構１６を含む回転要素列９が配置され、回転要素列の中で変速機構が最も下部に配置されている。そして、トランスミッションケースの内部に変速機構の少なくとも一部が浸漬された潤滑オイル５２が貯留されており、潤滑オイル内における変速機構の下方領域を囲む位置に、回転要素列の回転に伴うオイル面レベルの変動が変速機構側に達するのを防止するバッフルプレート４６が配置されている。【選択図】図３
2018004051.tif 000002
【特許請求の範囲】
【請求項１】
トランスミッションケースの内部に、変速機構を含む回転要素列が配置され、前記回転要素列の中で前記変速機構が最も下部に配置されており、
前記トランスミッションケースの内部に前記変速機構の少なくとも一部が浸漬された潤滑オイルが貯留されており、
前記潤滑オイル内における前記変速機構の下方領域を囲む位置に、前記回転要素列の回転に伴うオイル面レベルの変動が前記変速機構側に達するのを防止するバッフルプレートが配置されていることを特徴とする変速機構の潤滑構造。
【請求項２】
前記変速機構は、
中空形状の回転軸に同軸に固定された第１歯車と、
前記回転軸の外周に互いに対向して回転自在に同軸に配置され、互いに対向する位置にそれぞれ歯車側ドグ歯が形成されている第２歯車及び第３歯車と、
前記第２歯車及び前記第３歯車の間に配置され、前記第２歯車の前記歯車側ドグ歯に噛合して前記第２歯車及び前記第１歯車を結合し前記第３歯車及び前記第１歯車を非結合とする状態と、前記第３歯車の前記歯車側ドグ歯に噛合して前記第３歯車及び前記第１歯車を結合し前記第２歯車及び前記第１歯車を非結合とする状態との何れかを切換え選択するクラッチ側ドグ歯を備えた歯車選択クラッチと、
前記回転軸の中空部に配置した操作軸を前記歯車選択クラッチに連結し、前記操作軸を軸方向に進退させることで前記歯車選択クラッチを操作するクラッチ操作部と、
前記歯車選択クラッチ及び前記クラッチ操作部の回転により攪拌された前記潤滑オイルを、前記歯車選択クラッチ及び前記クラッチ操作部の内部を通過させて前記歯車側ドグ歯及び前記クラッチ側ドグ歯が噛合されている方向に供給する潤滑油路と、を備えていることを特徴とする請求項１記載の変速機構の潤滑構造。
【請求項３】
前記歯車選択クラッチは、
前記回転軸の外周から径方向外方に突出して形成された円板形状のガイド部と、
前記ガイド部の外周に配置されて前記ガイド部に対する回転が拘束され、且つ前記ガイド部に案内されて前記軸方向に移動するクラッチスリーブと、
前記クラッチスリーブの前記軸方向の両端面に形成された前記クラッチ側ドグ歯と、を備え、
前記クラッチ操作部は、前記操作軸を直交して貫通し、前記ガイド部に設けたシャフトスライド空隙部を通過して前記クラッチスリーブに固定されたスリーブ連結シャフトを備え、
前記操作軸は、一端が開口した中空形状の油路が形成され、前記スリーブ連結シャフトが貫通した位置の近傍に前記油路に連通するオイル孔が形成されており、
前記潤滑油路は、前記油路、前記オイル孔及び前記シャフトスライド空隙部で形成されていることを特徴とする請求項２記載の変速機構の潤滑構造。
【請求項４】
前記操作軸の一端の開口部に、攪拌されている潤滑オイルを前記油路に流し込むオイルチャンネルが装着されていることを特徴とする請求項３記載の変速機構の潤滑構造。
【発明の詳細な説明】
【技術分野】
【０００１】
本発明は、車両などに搭載されるトランスミッションの内部に配置された変速機構の潤滑構造に関する。
【背景技術】
【０００２】
例えば特許文献１の変速機構の潤滑構造は、変速機構を内蔵したトランスミッションケース内部の下部に潤滑オイルを貯留し、変速機構を含む回転要素の回転によって潤滑オイルを攪拌することで変速機構の内部に潤滑オイルを供給するようにしている。
ところで、車両搭載性を高めるために小型のトランスミッションが開発されており、トランスミッションに内蔵される変速機構も小型化が図られている。
【先行技術文献】
【特許文献】
【０００３】
【特許文献１】特開２００２−１３０４４６号公報
【発明の概要】
【発明が解決しようとする課題】
【０００４】
しかし、変速機構の小型化を図ると、変速機構内部に潤滑オイルが流れ込む潤滑油路が狭くなり、変速機構を構成しているドグ歯に供給される潤滑オイルの必要量が減少してしまうおそれがある。
そこで、本発明は、小型化を図ってもドグ歯に必要量の潤滑オイルを確実に供給することができる変速機構の潤滑構造を提供することを目的としている。
【課題を解決するための手段】
【０００５】
上記目的を達成するために、本発明の一態様に係る変速機構の潤滑構造は、トランスミッションケースの内部に、変速機構を含む回転要素列が配置され、回転要素列の中で変速機構が最も下部に配置されており、トランスミッションケースの内部に変速機構の少なくとも一部が浸漬された潤滑オイルが貯留されており、潤滑オイル内における変速機構の下方領域を囲む位置に、回転要素列の回転に伴うオイル面レベルの変動が変速機構側に達するのを防止するバッフルプレートが配置されている。
【発明の効果】
【０００６】
本発明に係る変速機構の潤滑構造によれば、トランスミッションケースの内部に貯留されている潤滑オイルに、回転要素列の回転に伴ってオイル面レベルの変動が発生しても、変速機構の下方領域を囲む位置にバッフルプレートを配置したことで、変速機構の周囲のオイル面はレベルが変動しない。そのため、小型化を図って潤滑油路が狭い変速機構としても、変速機構を構成しているドグ歯に必要量の潤滑オイルを確実に供給することができる。
【図面の簡単な説明】
【０００７】
【図１】本発明に係る車両を模式的に示した図である。
【図２】本発明に係る車両に搭載されているフロントユニットを概略的に示した図である。
【図３】本発明に係るフロントユニットを構成するトランスミッションの内部構造を簡略的に示した図である。
【図４】本発明に係る回転要素列の一部を示したスケルトン図である。
【図５】本発明に係る変速機構を示す図３のＡ−Ａ線矢視図である。
【図６】図５のＢ−Ｂ線矢視図である。
【図７】図６の丸印で示した符号Ｃの具体的な構成を示す図である。
【図８】図６のＥ−Ｅ線矢視図においてガイド側スプラインを省略した図である。
【図９】第２歯車の歯車側ドグ歯を示した図である。
【図１０】第３歯車の歯車側ドグ歯を示した図である。
【発明を実施するための形態】
【０００８】
次に、図面を参照して、本発明の第１実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【０００９】
［第１実施形態の車両］
図１は、本発明に係る車両１を模式的に示したものである。図１の矢印Ｆ−Ｂは車両１の前後方向、矢印Ｌ−Ｒは、車両１の左右方向を示している。
車両１は、前輪（左の前輪２ＦＬ及び右の前輪２ＦＲ）を駆動するフロントユニット３を備えており、エンジン及びモータジェネレータの駆動力を備えたハイブリッド車両である。
フロントユニット３は、図２に示すように、電動機及び発電機として作動する第１モータジェネレータＭＧ１と、同じく電動機及び発電機として作動する第２モータジェネレータＭＧ２と、エンジン４と、第１及び第２モータジェネレータＭＧ１、ＭＧ２及びエンジン４が連結されているトランスミッション５と、トランスミッション５の出力により駆動される差動装置６とを有し、差動装置６から車両１の左右に延びる車軸７、７が、左の前輪２ＦＬ及び右の前輪２ＦＲに連結されている。
【００１０】
［第１実施形態のトランスミッションの内部構造］
図３は、トランスミッション５の内部構造を示すものであり、トランスミッションケース８に、第１及び第２モータジェネレータＭＧ１、２、エンジン４及び差動装置６に連結する回転要素列９が配置されている。
この回転要素列９は、第１モータジェネレータＭＧ１に回転軸１０ａを介して連結されている第１回転要素１０と、差動装置６に回転軸１１ａを介して連結されている第２回転要素１１と、エンジン４に回転軸１２ａを介して連結されている第３回転要素１２と、第２モータジェネレータＭＧ２に回転軸１３ａを介して連結されている第４回転要素１３と、を備えている。そして、回転要素列９は、第１回転要素１０及び第２回転要素１１が第５回転要素１４を介して連結され、第３回転要素１２及び第４回転要素１３が第６回転要素１５を介して連結され、第２回転要素１１及び第３回転要素１２が変速機構１６を介して連結されている。
【００１１】
ここで、図３は、トランスミッション５の内部に配置された回転要素列９を側面から示したものであり、最も下部に変速機構１６が配置されており、変速機構１６より高い位置に第２回転要素１１が配置されている。そして、変速機構１６の操作軸４０が浸る程度の高さまでトランスミッションケース８内に潤滑オイル５２が満たされている。なお、図３の符号Ｌは、潤滑オイル５２の油面である。
そして、変速機構１６の下側の領域を囲むようにバッフルプレート４６が配置されている。
【００１２】
［第１実施形態の変速機構］
変速機構１６は、図４に示すように、入力軸１７の一端側外周に入力歯車１８が同軸に固定されており、この入力歯車１８は、第２回転要素１１の回転要素出力歯車１９に噛合している。
また、入力軸１７の他端側外周に第１出力歯車２０が入力軸１７に対して回転自在に同軸に配置されているとともに、第１出力歯車２０及び入力歯車１８の間の入力軸１７の外周に、第１出力歯車２０より歯車直径の大きな第２出力歯車２１が入力軸１７に対して回転自在に配置されている。
変速機構１６の第１出力歯車２０には、第３回転要素１２の第１入力歯車２２が噛合し、第２出力歯車２１には、第３回転要素１２の第２入力歯車２３が噛合している。
そして、第１出力歯車２０及び入力歯車１８を結合状態とする第１変速、第２出力歯車２１及び入力歯車１８を結合状態とする第２変速、或いは第１出力歯車２０及び第２出力歯車２１のいずれも入力歯車１８と非結合とするニュートラル状態とする歯車選択クラッチ５０と、歯車選択クラッチの操作を行うクラッチ操作部５１と、を備えている。
【００１３】
次に、変速機構１６の具体的な構造について、図５から図１０を参照して詳細に説明する。
図５に示すように、中空円筒形状の入力軸１７の軸Ｐ方向の一端は、ケース内壁８ａにラジアル軸受２５を介して回転自在に支持されており、入力軸１７の軸Ｐ方向の他端は、ケース内壁８ｂにラジアル軸受２６を介して回転自在に支持されている。
入力軸１７の軸方向中央の外周には、図５及び図６に示すように、径方向外方に突出した円板形状のガイド部２７が形成されている。
【００１４】
ガイド部２７には、軸Ｐ方向に対して直交する方向に外周まで貫通したシャフトスライド空隙部２８が形成されている。このシャフトスライド空隙部２８は、軸Ｐに沿って互いに平行に形成され、ガイド部２７の軸Ｐ方向の両端面まで連続する一対のスライド面２８ａ，２８ｂが形成されている。
ガイド部２７の外周には、軸Ｐ方向にスプライン歯２９ａが延在しているガイド側スプライン２９が形成されている。
ガイド部２７のガイド側スプライン２９に、円環形状のクラッチスリーブ３０の内スプライン歯３１が係合している。
【００１５】
クラッチスリーブ３０の内周には、図７及び図８に示すように、ガイド側スプライン２９のスプライン歯２９ａに噛み合うスプライン歯３１ａを備えたクラッチ側スプライン３１と、スプライン歯３１ａの軸Ｐ方向の両端部のクラッチ側ドグ歯３２，３３とが形成されている。
図７で示すように、のクラッチ側ドグ歯３２、３３は、クラッチ側スプライン３１のスプライン歯３１ａの形状より小さな幅の歯でかつ先端が平面に設計されている。また、歯車側ドグ歯もどう形状となっている。
【００１６】
入力歯車１８は、図５に示すように、入力軸１７の軸Ｐ方向の一端側（ラジアル軸受２５側）の外周に固定されている。
第１出力歯車２０は、図５に示すように、ラジアル軸受２６の内輪に接触している間座３４と、入力軸１７のガイド部２７の軸Ｐ方向の一方の端面とに当接した状態で、入力軸１７の外周に対して回転自在に配置されている。
第１出力歯車２０のガイド部２７及びクラッチスリーブ３０に対向する面側は、肉厚を減少させることで第１収容凹部３５が形成されており、この第１収容凹部３５にガイド部２７及びクラッチスリーブ３０の一部が入り込んでいる。
【００１７】
この第１収容凹部３５の内部には、クラッチスリーブ３０のクラッチ側ドグ歯３２と噛み合う歯車側ドグ歯３６が形成されている（図９参照）。
第２出力歯車２１は、入力軸の軸Ｐ方向の一端側に固定した入力歯車１８のガイド部２７を向く面と、入力軸１７のガイド部２７の軸Ｐ方向の他方の端面とに当接した状態で、入力軸１７の外周に対して回転自在に配置されている。
第２出力歯車２１のガイド部２７及びクラッチスリーブ３０に対向する面側も、肉厚を減少させることで第２収容凹部３７が形成されており、この第２収容凹部３７にもガイド部２７及びクラッチスリーブ３０の一部が入り込んでいる。
この第２収容凹部３７の内部には、クラッチスリーブ３０のクラッチ側ドグ歯３３と噛み合う歯車側ドグ歯３８が形成されている（図１０参照）。
【００１８】
また、図５に示すように、中空円筒形状の入力軸１７には操作軸４０が同軸に挿入されている。
操作軸４０の軸内には、入力軸１７を支持しているラジアル軸受２５側の一方の端部から他方の端部側まで軸Ｐに沿って油路５３が形成されている。
操作軸４０には、図５及び図６に示すように、軸Ｐに直交する方向で操作軸４０を貫通し、シャフトスライド空隙部２８を通過して両端にクラッチスリーブ３０が固定されているスリーブ連結シャフト４１が連結されている。
操作軸４０のラジアル軸受２５側の一方の端部に、外部から潤滑オイル５２を油路５３に流し込むオイルチャンネル５４が装着されているとともに、軸Ｐに沿う複数の位置に、油路５３に流れ込んだ潤滑オイル５２を操作軸４０の外部に供給するオイル孔５５が形成されている。
【００１９】
そして、変速機構１６の第２出力歯車２１及び入力歯車１８の下方領域を囲むように、バッフルプレート４６が配置されている。
一方、変速制御装置（不図示）から変速制御信号が入力すると、変速伝達機構（不図示）を介して回転部材４４に、Ｒ１方向の回転、或いはＲ２方向の回転が伝達される。
回転部材４４には、スラスト移動部材４３の周溝４２に回転可能に係合しているスラスト変換部材４５が連結されている。
そして、回転部材４４がＲ１方向に回転すると、スラスト移動部材４３が第１変速方向Ｄ１に移動し、回転部材４４がＲ２方向に回転するとスラスト移動部材４３が第２変速方向Ｄ２に移動する。
【００２０】
ここで、図４で示した歯車選択クラッチ５０は、第１出力歯車２０の第１収容凹部３５に配置した歯車側ドグ歯３６と、第２出力歯車２１の第２収容凹部３７に配置した歯車側ドグ歯３８と、入力軸１７のガイド部２７と、ガイド部２７に支持されて軸Ｐ方向にスライドするクラッチスリーブ３０と、クラッチスリーブ３０に設けられて歯車側ドグ歯３６，３８の一方に噛合するクラッチ側ドグ歯３２，３３とで構成されている。
また、図４で示したクラッチ操作部５１は、操作軸４０と、スリーブ連結シャフト４１と、スラスト移動部材４３と、回転部材４４と、スラスト変換部材４５とで構成されている。
また、本発明に係る回転軸が入力軸１７に対応し、本発明に係る第１歯車が入力歯車１８に対応し、本発明に係る第２歯車が第１出力歯車２０に対応し、本発明に係る第３歯車が第２出力歯車２１に対応している。
【００２１】
［第１実施形態の変速機構の動作］
次に、変速制御装置から変速操作（第１変速、或いは第２変速）の制御信号が入力したときの変速機構１６の動作について図５を参照しながら説明する。
変速制御装置から第１変速の制御信号が入力すると、変速伝達機構を介して回転部材４４にニュートラル位置ＮからＲ１方向の回転力が伝達される。回転部材４４がニュートラル位置ＮからＲ１方向に回転すると、回転部材４４から回転が伝達されたスラスト変換部材４５がスラスト移動部材４３を第１変速方向Ｄ１に移動させる。
【００２２】
スラスト移動部材４３が第１変速方向Ｄ１に移動すると、スラスト移動部材４３に固定されている操作軸４０も軸Ｐ方向に沿って同一方向（図５の左方向）に移動する。
操作軸４０が第１変速方向Ｄ１に移動すると、操作軸４０に連結されているスリーブ連結シャフト４１が、シャフトスライド空隙部２８の一対のスライド面２８ａ，２８ｂに摺動しながら第１出力歯車２０側に移動していく。
スリーブ連結シャフト４１が第１出力歯車２０側に移動していくことで、スリーブ連結シャフト４１に固定されているクラッチスリーブ３０も第１出力歯車２０側に移動していく。
【００２３】
この際、クラッチスリーブ３０の内周に形成されているクラッチ側スプライン３１は、入力軸１７に一体に形成されたガイド部２７のガイド側スプライン２９に噛合しているので、クラッチスリーブ３０は、ガイド側スプライン２９に案内されながら第１出力歯車２０側に移動していく。
そして、クラッチスリーブ３０のクラッチ側スプライン３１の先端に形成されているクラッチ側ドグ歯３２が、第１出力歯車２０の歯車側ドグ歯３６に噛合することで、第１出力歯車２０及び入力歯車１８が、歯車側ドグ歯３６、クラッチ側ドグ歯３２、クラッチスリーブ３０のクラッチ側スプライン３１、ガイド部２７のガイド側スプライン２９及び入力軸１７を介して結合状態となり、第１変速の切換え操作が完了する。
【００２４】
次に、変速制御装置から第２変速に切換える制御信号が入力すると、先ず、変速伝達機構を介して回転部材４４にはＲ２方向の回転力が伝達され、回転部材４４がニュートラル位置Ｎまで回転する。回転部材４４がニュートラル位置Ｎまで回転すると、スラスト変換部材４５を介してスラスト移動部材４３が中立位置まで移動し、クラッチスリーブ３０が第１出力歯車２０から離れて、第１出力歯車２０の歯車側ドグ歯３６とクラッチスリーブ３０のクラッチ側ドグ歯３２の噛合が解除される。
次いで、変速伝達機構を介して回転部材４４にニュートラル位置ＮからＲ２方向の回転が伝達される。回転部材４４がニュートラル位置ＮからＲ２方向に回転すると、回転部材４４から回転が伝達されたスラスト変換部材４５がスラスト移動部材４３を第２変速方向Ｄ２に移動させる。
【００２５】
スラスト移動部材４３が第２変速方向Ｄ２に移動すると、スラスト移動部材４３に固定されている操作軸４０も軸Ｐ方向に沿って同一方向（図５の右方向）に移動する。そして、操作軸４０に連結されているスリーブ連結シャフト４１も、シャフトスライド空隙部２８の一対のスライド面２８ａ，２８ｂに摺動しながら第２出力歯車２１側に移動していく。
スリーブ連結シャフト４１が第２出力歯車２１側に移動していくことで、スリーブ連結シャフト４１に固定されているクラッチスリーブ３０も第２出力歯車２１側に移動していく。この場合にも、クラッチスリーブ３０は、ガイド側スプライン２９に案内されながら第２出力歯車２１側に移動していく。
【００２６】
そして、クラッチスリーブ３０のクラッチ側スプライン３１の先端に形成されているクラッチ側ドグ歯３３が、第２出力歯車２１の歯車側ドグ歯３８に噛合することで、第２出力歯車２１及び入力歯車１８は、歯車側ドグ歯３８、クラッチ側ドグ歯３３、クラッチスリーブ３０のクラッチ側スプライン３１、ガイド部２７のガイド側スプライン２９及び入力軸１７を介して結合状態となり、第２変速の切換え操作が完了する。
ここで、変速機構１６を第１変速及び第２変速の間で切り替える際には、入力軸１７と第１出力歯車２０又は第２出力歯車２１の回転を合わせて変速することでシンクロ機構を必要とせずに、クラッチスリーブ３０のクラッチ側ドグ歯３２と第１出力歯車２０の歯車側ドグ歯３６との噛合、或いは、クラッチスリーブ３０のクラッチ側ドグ歯３３と第２出力歯車２１の歯車側ドグ歯３８との噛合をスムーズに行うことができる。
【００２７】
［第１実施形態のトランスミッション内部の潤滑の作用効果について］
図３に示すように、差動装置６の回転による第２回転要素１１と、変速機構１６の入力歯車１８、第１出力歯車２０及び第２出力歯車２１とが互いに逆方向に回転することで、トランスミッションケース８内に満たされている潤滑オイル５２の油面Ｌが変動する。ここで、変速機構１６は、第２出力歯車２１及び入力歯車１８の下方領域を囲むように配置されているバッフルプレート４６により、変速機構１６の周囲の潤滑オイル５２の第２出力歯車２１及び入力歯車１８が、かき上げる潤滑オイル５２を抑制することが出来るので、潤滑オイル５２が第２回転要素１１側に流れやすくなる。そのため、第２回転要素１１側に潤滑オイル５２が供給され、第２回転要素により供給された潤滑オイル５２がトランスミッションケース８を伝わってオイルチャンネル５４から油路５３に流れ込む。
【００２８】
そして、図４、図５で示すように、変速機構１６や第２回転要素１１等の各ギヤによりかき上げられたトランスミッションケース８内の潤滑オイル５２は、変速機構１６の操作軸４０の端部に装着したオイルチャンネル５４から油路５３に流れ込む。そして、操作軸４０の油路５３に流れ込んだ潤滑オイル５２は、操作軸４０に形成したオイル孔５５から操作軸４０の外部に流れ出る。
また、オイル孔５５から操作軸４０の外部に流れ出た潤滑オイル５２は、入力軸１７のガイド部２７の回転によりシャフトスライド空隙部２８のスライド面２８ａ，２８ｂに沿って放射状に流れていき、各軸受け、スラスト移動部材４３の周溝４２とスラスト変換部材４５の摺動部、クラッチスリーブ３０のクラッチ側ドグ歯３２，３３，第１出力歯車２０の歯車側ドグ歯３６及び第２出力歯車２１の歯車側ドグ歯３８に達する。
【００２９】
このように、第１実施形態の変速機構１６は、第１出力歯車２０及び第２出力歯車２１の間に歯車選択クラッチ５０が配置され、入力軸１７の内部にクラッチ操作部５１が配置されて小型化を図っているが、クラッチスリーブ３０のクラッチ側ドグ歯３２，３３，第１出力歯車２０の歯車側ドグ歯３６及び第２出力歯車２１の歯車側ドグ歯３８に向けて、飛沫状態の必要量の潤滑オイル５２を確実に供給することができる。
【符号の説明】
【００３０】
１  車両
２ＦＬ  左の前輪
２ＦＲ  右の前輪
２ＢＬ  左の後輪
２ＢＲ  右の前輪
３フロントユニット
ＭＧ１  第１モータジェネレータ
ＭＧ２  第２モータジェネレータ
４  エンジン
５  トランスミッション
６  差動装置
７  車軸
８  トランスミッションケース
８ａ，８ｂ  ケース内壁
９  回転要素列
１０ａ  回転軸
１０  第１回転要素
１１ａ  回転軸
１１  第２回転要素
１２ａ  回転軸
１２  第３回転要素
１３ａ  回転軸
１３  第４回転要素
１４  第５回転要素
１５  第６回転要素
１６  変速機構
１７  入力軸
１８  入力歯車
１９  回転要素出力歯車
２０  第１出力歯車
２１  第２出力歯車
２２  第１入力歯車
２３  第２入力歯車
２５  ラジアル軸受
２６  ラジアル軸受
２７  ガイド部
２８  シャフトスライド空隙部
２８ａ，２８ｂ  一対のスライド面
２９ａ  スプライン歯
２９  ガイド側スプライン
３０  クラッチスリーブ
３１ａ  スプライン歯
３１  クラッチ側スプライン
３２，３３  クラッチ側ドグ歯
３４  間座
３５  第１収容凹部
３６  歯車側ドグ歯
３７  第２収容凹部
３８  歯車側ドグ歯
４０  操作軸
４１  スリーブ連結シャフト
４２  周溝
４３  スラスト移動部材
４４  回転部材
４５  スラスト変換部材
４６  バッフルプレート
５０  歯車選択クラッチ
５１  クラッチ操作部
５２  潤滑オイル
５３  油路
５４  オイルチャンネル
５５  オイル孔
【図１】
2018004051.tif 000003
【図２】
2018004051.tif 000004
【図３】
2018004051.tif 000005
【図４】
2018004051.tif 000006
【図５】
2018004051.tif 000007
【図６】
2018004051.tif 000008
【図７】
2018004051.tif 000009
【図８】
2018004051.tif 000010
【図９】
2018004051.tif 000011
【図１０】
2018004051.tif 000012